(57)【特許請求の範囲】
【請求項１】
無線端末装置と無線通信を行う複数の無線基地局装置と、前記無線基地局装置を含む加入者網に接続され前記無線基地局装置を制御する無線基地局制御装置とを備える無線通信システムであって、
前記無線基地局装置は、
前記無線基地局装置の出力電力の情報である第１の電力情報を前記無線基地局制御装置へ通知する通知手段を備え、
前記無線基地局制御装置は、
前記通知手段による前記無線基地局装置からの通知および、前記無線端末装置が待ち受けする前記無線基地局装置を変更したことを示す情報、変更前の無線基地局装置からの電力の情報である第２の電力情報、および変更後の無線基地局装置からの電力の情報である第３の電力情報を含む前記無線端末装置からの通知を受信する受信手段と、
前記受信手段によって受信した前記第１の電力情報、前記第２の電力情報および前記第３の電力情報から、隣接する前記無線基地局装置の間の距離を算出する算出手段と、
前記通知手段によって通知された第１の電力情報と前記隣接する前記無線基地局装置の間の隣接関係および前記算出手段によって算出された隣接する前記無線基地局装置の間の距離を含む隣接無線基地局装置情報を更新して記憶する記憶手段と
を備えることを特徴とする無線通信システム。
【請求項２】
無線端末装置と無線通信を行う複数の無線基地局装置と、前記無線基地局装置を含む加入者網に接続され無線基地局装置を制御する無線基地局制御装置とを備える無線通信システムの無線基地局制御装置であって、
前記無線基地局装置から通知される前記無線基地局装置の出力電力の情報である第１の電力情報の通知および、前記無線端末装置が待ち受けする前記無線基地局装置を変更したことを示す情報、変更前の無線基地局装置からの電力の情報である第２の電力情報、および変更後の無線基地局装置からの電力の情報である第３の電力情報を含む前記無線端末装置からの通知を受信する受信手段と、
前記受信手段によって受信した前記第１の電力情報、前記第２の電力情報および前記第３の電力情報から、隣接する前記無線基地局装置の間の距離を算出する算出手段と、
前記受信手段で受信した前記第１の電力情報と前記隣接する前記無線基地局装置の間の隣接関係および前記算出手段によって算出された隣接する前記無線基地局装置の間の距離とを含む隣接無線基地局装置情報を更新して記憶する記憶手段と
を備えることを特徴とする無線基地局制御装置。
【請求項３】
無線端末装置と無線通信を行う複数の無線基地局装置と、前記無線基地局装置を含む加入者網に接続され、無線基地局装置を制御する無線基地局制御装置とを備える無線通信システムで使用される無線基地局制御装置用プログラムであって、
前記無線基地局装置から通知される前記無線基地局装置の出力電力の情報である第１の電力情報の通知および、前記無線端末装置が待ち受けする前記無線基地局装置を変更したことを示す情報、変更前の無線基地局装置からの電力の情報である第２の電力情報および変更後の無線基地局装置からの電力の情報である第３の電力情報を含む前記無線端末装置からの通知を受信する機能と、
前記受信機能で受信した前記第１の電力情報、前記第２の電力情報および前記第３の電力情報から、隣接する前記無線基地局装置同士の距離を算出する機能と、
前記算出機能で算出した前記無線基地局装置同士の距離が、当該無線基地局制御装置が記憶している隣接無線基地局装置情報の前記無線基地局装置同士の距離よりも短い場合に、記憶している前記隣接無線基地局装置情報を、算出した前記無線基地局装置同士の距離の値に更新して記憶する機能と
を備えることを特徴とする無線基地局制御装置用プログラム。
【発明の詳細な説明】
【技術分野】
【０００１】
本発明は、無線通信システム、無線基地局制御装置、および無線基地局制御装置用プログラムに関する。
【背景技術】
【０００２】
ＰＨＳ等の無線通信システムでは、無線基地局装置の設置の際に、無線端末装置が受信する無線基地局装置からの電波の強度が低い地域を調べる作業は行っているが（特許文献１）、置局設計は行っていない。そのため、無線基地局装置は、自らの無線基地局装置と隣接する無線基地局装置との隣接関係やそれらの間の距離などの位置情報を取得できない。
【０００３】
また、無線端末装置が通信しながら無線基地局装置を変更するハンドオーバの際、隣接する無線基地局装置の情報を無線通信システムが取得していないため、ハンドオーバ先の無線基地局装置を探索し通信可能であればその無線基地局装置をハンドオーバ先に決定してハンドオーバの処理を行う。しかし、無線端末装置が高速移動をしている場合は、その処理の最中にハンドオーバ前の無線基地局装置との通信エリアから外れて通信が中断されてしまう。
【０００４】
そこで、無線端末装置の高速な移動に伴って無線端末装置が通信しながら無線基地局装置を変更するハンドオーバの際に、スムーズなハンドオーバを行うことができるように、無線基地局制御装置が無線端末装置のハンドオーバ先の無線基地局装置を予測することが求められる。そして、そのためには隣接する無線基地局装置同士の隣接関係や隣接する無線基地局装置間の距離などの情報が必要になる。
【特許文献１】特開平１１−２１１７６８号公報
【発明の開示】
【発明が解決しようとする課題】
【０００５】
しかしながら、この隣接する無線基地局装置の位置情報を取得するために、従来、無線基地局装置間の位置情報を人手を使用して実測しているため、莫大な手間を要していた。
【０００６】
本発明は、上記問題点を解決するためになされたもので、無線基地局装置間の隣接関係およびそれらの間の距離を容易に取得可能な無線通信システム、無線基地局制御装置、および無線基地局制御装置用プログラムを提供することを目的とする。
【課題を解決するための手段】
【０００７】
上記目的を達成するために、本発明による無線通信システムは、無線端末装置と無線通信を行う複数の無線基地局装置と、前記無線基地局装置を含む加入者網に接続され前記無線基地局装置を制御する無線基地局制御装置とを備える無線通信システムであって、前記無線基地局装置は、前記無線基地局装置の出力電力の情報である第１の電力情報を前記無線基地局制御装置へ通知する通知手段を備え、前記無線基地局制御装置は、前記通知手段による前記無線基地局装置からの通知および、前記無線端末装置が待ち受けする前記無線基地局装置を変更したことを示す情報、変更前の無線基地局装置からの電力の情報である第２の電力情報、および変更後の無線基地局装置からの電力の情報である第３の電力情報を含む前記無線端末装置からの通知を受信する受信手段と、前記受信手段によって受信した前記第１の電力情報、前記第２の電力情報および前記第３の電力情報から、隣接する前記無線基地局装置の間の距離を算出する算出手段と、前記通知手段によって通知された第１の電力情報と前記隣接する前記無線基地局装置の間の隣接関係および前記算出手段によって算出された隣接する前記無線基地局装置の間の距離を含む隣接無線基地局装置情報を更新して記憶する記憶手段とを備えることを特徴としている。
【０００８】
また、本発明による無線基地局制御装置は、無線端末装置と無線通信を行う複数の無線基地局装置と、前記無線基地局装置を含む加入者網に接続され無線基地局装置を制御する無線基地局制御装置とを備える無線通信システムの無線基地局制御装置であって、前記無線基地局装置から通知される前記無線基地局装置の出力電力の情報である第１の電力情報の通知および、前記無線端末装置が待ち受けする前記無線基地局装置を変更したことを示す情報、変更前の無線基地局装置からの電力の情報である第２の電力情報、および変更後の無線基地局装置からの電力の情報である第３の電力情報を含む前記無線端末装置からの通知を受信する受信手段と、前記受信手段によって受信した前記第１の電力情報、前記第２の電力情報および前記第３の電力情報から、隣接する前記無線基地局装置の間の距離を算出する算出手段と、前記受信手段で受信した前記第１の電力情報と前記隣接する前記無線基地局装置の間の隣接関係および前記算出手段によって算出された隣接する前記無線基地局装置の間の距離とを含む隣接無線基地局装置情報を更新して記憶する記憶手段とを備えることを特徴としている。
【０００９】
また、本発明による無線基地局制御装置用プログラムは、無線端末装置と無線通信を行う複数の無線基地局装置と、前記無線基地局装置を含む加入者網に接続され、無線基地局装置を制御する無線基地局制御装置とを備える無線通信システムで使用される無線基地局制御装置用プログラムであって、前記無線基地局装置から通知される前記無線基地局装置の出力電力の情報である第１の電力情報の通知および、前記無線端末装置が待ち受けする前記無線基地局装置を変更したことを示す情報、変更前の無線基地局装置からの電力の情報である第２の電力情報および変更後の無線基地局装置からの電力の情報である第３の電力情報を含む前記無線端末装置からの通知を受信する機能と、前記受信機能で受信した前記第１の電力情報、前記第２の電力情報および前記第３の電力情報から、隣接する前記無線基地局装置同士の距離を算出する機能と、前記算出機能で算出した前記無線基地局装置同士の距離が、当該無線基地局制御装置が記憶している隣接無線基地局装置情報の前記無線基地局装置同士の距離よりも短い場合に、記憶している前記隣接無線基地局装置情報を、算出した前記無線基地局装置同士の距離の値に更新する機能とを備えることを特徴とする。
【発明の効果】
【００１０】
本発明によれば、無線基地局装置間の隣接関係およびそれらの距離を容易に取得することができる無線通信システム、無線基地局制御装置、および無線基地局制御装置用プログラムを提供することができる。
【発明を実施するための最良の形態】
【００１１】
以下、本発明の実施例を図面を参照して説明する。
【実施例１】
【００１２】
図１は、本発明に関わる無線通信システムの一実施の形態を示す図である。この無線通信システムは、無線基地局装置ＣＳ１、ＣＳ２、ＣＳ３、ＣＳｎと、無線基地局制御装置１とを有する。無線基地局制御装置１は、複数の無線基地局装置ＣＳ１、ＣＳ２、ＣＳ３、ＣＳｎに接続し、これらの無線基地局装置ＣＳを制御するものである。また、無線基地局制御装置１は、ＩＰ網２および公衆網３にも接続されインターネット４を介して通信を行うことができるものである。無線基地局装置ＣＳは、無線端末装置ＰＳと無線で通信を行うものである。無線端末装置ＰＳは移動するものであるから、無線端末装置ＰＳはその移動に伴い通信または待ち受けする無線基地局装置ＣＳを変更する。
【００１３】
次に、図２乃至図４を参照してこの無線通信システムに関わる装置の構成について説明する。  
図２は、この無線通信システムと無線で通信する無線端末装置ＰＳの機能ブロック図である。この無線端末装置ＰＳは、インターフェース部１０、制御部１１、記憶部１２、電力測定部１３、およびＣＳ変更判断部１４を備える。また、インターフェース部１０には、無線送受信部１０ａ（受信部）を備える。
【００１４】
無線送受信部１０ａは、無線基地局装置ＣＳと無線で通信をするインターフェース部である。制御部１１は、インターフェース部１０や記憶部１２と情報を授受して無線端末装置ＰＳの制御を行うものである。記憶部１２は、受信した電力などの情報を記憶するものである。また、電力測定部１３は、無線送受信部１０ａが受信した電力を測定するものである。そして、ＣＳ変更判断部１４は、電力測定部１３が測定した電力を基に、待ち受けする無線基地局装置ＣＳを変更することを判断するものである。
【００１５】
図３は、この無線通信システムに備えられる無線基地局装置ＣＳの機能ブロック図である。  
この無線基地局装置ＣＳは、インターフェース部２０、制御部２１、および記憶部２２を備える。また、インターフェース部２０には、無線送受信部２０ａと、有線送受信部（通知手段）２０ｂとを備える。
【００１６】
無線送受信部２０ａは、無線端末装置ＰＳと無線で通信をするインターフェース部で、有線送受信部２０ｂは、無線基地局制御装置１と通信するインターフェース部である。制御部２１は、インターフェース部２０や記憶部２２と情報を授受して無線基地局装置ＣＳの制御を行うものである。
【００１７】
図４は、この無線通信システムに備えられる無線基地局制御装置１の機能ブロック図である。  
この無線基地局制御装置１は、インターフェース部３０、制御部３１、記憶部（記憶手段）３２、およびＣＳ距離算出部（算出手段）３３を備える。また、インターフェース部３０には、無線基地局装置ＣＳと通信する有線送受信部３０ａが備えられる。さらに、記憶部３２には、ＣＳ位置情報テーブル（隣接無線基地局装置情報）３２ａが更新可能に記憶される。なお、この更新とは、情報を新たに記憶させることと、予め記憶されている情報を書き換えることとを含む。
【００１８】
ＣＳ距離算出部３３は、無線端末装置ＰＳが無線基地局装置ＣＳを介して通知した電力情報と後述する無線基地局装置の出力電力とを基に、無線基地局装置ＣＳと無線端末装置ＰＳとの距離を計算することにより隣接する無線基地局装置ＣＳ間の距離を算出したりするものである。
【００１９】
そして、ＣＳ位置情報テーブル３２ａは、無線基地局装置の位置情報を記憶するものである。ここで、位置情報とは、どの無線基地局装置と隣接するかを示す隣接関係と、隣接する無線基地局装置ＣＳとの間の距離とを示す。また、このＣＳ位置情報テーブル３２ａは、隣接する無線基地局装置ＣＳ間の距離を算出するために必要な無線基地局装置ＣＳの出力電力情報が予め無線基地局装置から通知され、無線基地局装置の情報と対応付けて記憶するものである。
【００２０】
次に、図５および図６を参照して、無線基地局装置ＣＳを設置した後に最初に電源を投入した場合に行う、無線基地局装置ＣＳの出力電力情報の無線基地局制御装置１への通知について説明する。
【００２１】
図５は、無線基地局装置ＣＳ１と無線基地局装置ＣＳ２が順番に設置された場合の無線基地局制御装置１への通知を示すシーケンス図である。  
まず、無線基地局装置ＣＳ１が設置され電源を投入されて立ち上げが成功する（Ｓ１０１）。立ち上げが成功すると、無線基地局装置ＣＳ１は、自らの無線基地局装置ＣＳ１の出力電力の情報（第１の電力情報）を無線基地局制御装置１へ通知する（Ｓ１０２）。
【００２２】
ここで、図６を参照して無線基地局装置ＣＳが無線基地局制御装置１へ通知する情報について説明する。図６は、無線基地局装置ＣＳが無線基地局制御装置１へ通知する情報をパケット化したパケットＰ１の構造を示したものである。
【００２３】
パケットＰ１は、通知先情報１０１、無線基地局立上げ通知ＩＤ情報１０２、無線基地局識別情報１０３、および出力電力情報１０４を有する。通知先情報１０１には、通知先である無線基地局制御装置１の情報が書き込まれ、無線基地局立上げ通知ＩＤ情報１０２には、この通知が無線基地局の立上げを示すことの情報が書き込まれる。また、無線基地局識別情報は１０３には、通知する情報がどの無線基地局装置ＣＳの情報であるか（この場合は無線基地局装置ＣＳ１）が書き込まれ、出力電力情報１０４には、無線基地局装置ＣＳ１が出力する出力電力情報が書き込まれる。
【００２４】
無線基地局制御装置１がパケットＰ１を受信すると、無線基地局制御装置１は、後述するＣＳ位置情報テーブル３２ａにこの出力電力と無線基地局装置ＣＳ１とを対応付けて更新する（Ｓ１０３）。
【００２５】
次に、図５において無線基地局装置ＣＳ２が設置され電源を投入されて立ち上げが成功する（Ｓ１０４）。立ち上げが成功すると、無線基地局装置ＣＳ２が自らの出力電力を無線基地局制御装置１へ通知する（Ｓ１０５）。この通知を受信した無線基地局制御装置１は、手順Ｓ１０３と同様に無線基地局装置ＣＳ２の出力電力をＣＳ位置情報テーブル３２ａ内に無線基地局装置ＣＳ２と対応付けて更新する（Ｓ１０６）。
【００２６】
次に、図７乃至図１０を参照して無線基地局装置ＣＳと隣接する無線基地局装置ＣＳとの距離を算出する手順を説明する。ここでは、無線基地局装置ＣＳ１と無線基地局装置ＣＳ２との間に無線端末装置ＰＳが位置し、無線端末装置ＰＳが無線基地局装置ＣＳ１に近い位置から無線基地局装置ＣＳ２に近い位置へ移動する場合とする。
【００２７】
図７は、無線端末装置ＰＳが待ち受けする無線基地局装置ＣＳを変更する際のシーケンス図である。  
まず、無線端末装置ＰＳは無線基地局装置ＣＳ１を待ち受けする場所に位置している（Ｓ２０１）。無線端末装置ＰＳが無線基地局装置ＣＳ１に近い位置から無線基地局装置ＣＳ２に近い位置へ移動すると、無線基地局装置ＣＳ１から無線端末装置ＰＳが受信する電力が低下する（Ｓ２０２）。
【００２８】
さらに無線端末装置ＰＳが無線基地局装置ＣＳ２に近い位置へ移動すると、無線基地局装置ＣＳ２から無線端末装置ＰＳが受信する電力が上昇する（Ｓ２０３）。無線基地局装置ＣＳ１から無線端末装置ＰＳが受信する電力よりも無線基地局装置ＣＳ２から無線端末装置ＰＳが受信する電力の方が強くなると、無線端末装置ＰＳは無線基地局装置ＣＳ２の配下に変更になる（Ｓ２０４）。このとき、無線端末装置ＰＳは、待ち受けする無線基地局装置を変更したことを示す情報を無線基地局装置ＣＳ２を介して無線基地局制御装置１へ通知する（Ｓ２０５、Ｓ２０６）。
【００２９】
ここで、図８を参照して無線端末装置ＰＳが無線基地局制御装置１へ通知する情報について説明する。  
図８は、無線端末装置ＰＳが無線基地局制御装置１へ通知する情報をパケット化したパケットＰ２の構造を示したものである。パケットＰ２は、通知先情報２０１、無線基地局変更通知ＩＤ情報２０２、変更前無線基地局識別情報２０３、変更後無線基地局識別情報２０４、および変更前の電力情報（第２の電力情報）２０５ａと変更後の電力情報（第３の電力情報）２０５ｂとを含む電力情報２０５を有する。
【００３０】
通知先情報２０１には、通知先である無線基地局制御装置１の情報が書き込まれ、無線基地局変更通知ＩＤ情報２０２には、この通知が無線基地局装置ＣＳの変更を通知することを示す情報が書き込まれる。また、変更前無線基地局識別情報２０３には、変更前の無線基地局装置が無線基地局装置ＣＳ１であることを示す情報が書き込まれ、変更後無線基地局識別情報２０４には、変更後の無線基地局装置が無線基地局装置ＣＳ２であることを示す情報が書き込まれる。さらに、電力情報２０５には、変更前の無線基地局装置ＣＳ１から受信した電波の電力情報２０５ａと、変更後の無線基地局装置ＣＳ２から受信した電波の電力情報２０５ｂとが書き込まれる。
【００３１】
図７において無線端末装置ＰＳから無線基地局制御装置１へ無線基地局装置ＣＳの変更が通知されると、無線基地局制御装置１は図８のパケットＰ２の変更前電力情報２０５ａおよび変更後電力情報２０５ｂおよびＣＳ位置情報テーブル３２ａに記憶されている無線基地局装置ＣＳ１と無線基地局装置ＣＳ２の電力情報を参照して、変更前の無線基地局装置ＣＳ１と変更後の無線基地局装置ＣＳ２との間の距離の算出を行う。
【００３２】
ここで、図９および図１０を参照して無線基地局装置ＣＳ１と変更後の無線基地局装置ＣＳ２との間の距離の算出について説明する。  
無線基地局装置ＣＳから出力された電波の電力は、無線基地局装置ＣＳからの距離が離れるに従ってその電力が減衰していくことが知られている。無線基地局装置ＣＳからの距離とその電力の関係を示す式は種々ある。その一例として、無線基地局装置ＣＳからの距離をｘ、無線基地局装置ＣＳの出力電力をｍａｘ、無線基地局装置ＣＳから距離ｘだけ離れた位置の電力をｙとすると、それらの関係は、
【数１】
0004843625.tif 000002
【００３３】
と示される。その関係を、図９に示す。図９の横軸ｘは無線基地局装置ＣＳからの距離を示し、縦軸ｙは距離ｘでの電力を示している。
【００３４】
無線基地局装置ＣＳの出力電力ｍａｘと無線基地局装置ＣＳから受信する電力ｙが判れば、（１）式より無線基地局装置ＣＳと無線端末装置ＰＳとの間の距離を算出することができる。
【００３５】
このようにすると、図１０に示す無線端末装置ＰＳと変更前の無線基地局装置ＣＳ１との距離Ｌ１と、無線端末装置ＰＳと変更後の無線基地局装置ＣＳ２との距離Ｌ２とを算出することができる。これらを加算することにより、無線基地局装置ＣＳ１と無線基地局装置ＣＳ２との間の距離を算出する。この距離は、距離Ｌ１と距離Ｌ２の合計を示し、無線基地局装置ＣＳ１と無線基地局装置ＣＳ２との直線距離Ｌ３ではない。無線基地局装置ＣＳ１と無線基地局装置ＣＳ２との間の距離が算出されると、ＣＳ位置情報テーブル３２ａの該当箇所にその距離を書き込む（Ｓ２０７）。
【００３６】
このようにして、無線基地局装置間の距離を算出することができる。但し、この時点では無線端末装置ＰＳが無線基地局装置ＣＳ１と無線基地局装置ＣＳ２とを結ぶ直線上に存在するとは限らないので、このときの距離は無線基地局装置ＣＳ１と無線基地局装置ＣＳ２との直線距離ではない。
【００３７】
次に、図１１を参照してＣＳ位置情報テーブル３２ａについて説明する。図１１は、ＣＳ位置情報テーブル３２ａの一例である。無線基地局装置ＣＳ１は、出力電力が４００ｍＷであることを示したものである。さらに、無線基地局装置ＣＳ１と隣接する無線基地局装置は、ＣＳ２、ＣＳ３、ＣＳ４、およびＣＳ５の４つあり、それぞれの無線基地局装置ＣＳ２、ＣＳ３、ＣＳ４、ＣＳ５と無線基地局装置ＣＳ１との距離は、それぞれ２００ｍ、２４０ｍ、２４０ｍ、１８０ｍであることを示したものである。
【００３８】
これらの無線基地局装置ＣＳとの間の距離は、図７に示した手順のみでは、この時点でＣＳ位置情報テーブル３２ａに記憶されている無線基地局装置ＣＳの間の距離は直線距離ではないことは上述したとおりである。
【００３９】
そこで、図１２を参照して無線基地局装置ＣＳの間の直線距離を算出するための無線基地局制御装置１の処理について説明する。  
まず、無線基地局装置ＣＳから送られてくる、無線基地局装置ＣＳの出力電力情報を含むパケットＰ１を受信する（Ｓ３０１）。パケットＰ１の出力電力情報１０４を参照して、出力電力の値をＣＳ位置情報テーブル３２ａの該当無線基地局装置ＣＳの出力電力の欄に書き込む（Ｓ３０２）。
【００４０】
その後、無線基地局装置ＣＳを変更する通知であるパケットＰ２を受信したか否かを判別する（Ｓ３０３）。受信しなければ手順Ｓ３０３へ戻る。パケットＰ２を受信すると、パケットＰ２の変更前電力情報２０５ａおよび変更後電力情報２０５ｂを参照して、無線端末装置ＰＳと変更前無線基地局装置ＣＳ１との間の距離および無線端末装置ＰＳと変更後無線基地局装置ＣＳ２との間の距離を算出する。さらにこれらの距離を加算することで、無線基地局装置ＣＳ１と無線基地局装置ＣＳ２との間の距離を算出する（Ｓ３０４）。
【００４１】
この算出した無線基地局装置ＣＳ１と無線基地局装置ＣＳ２との間の距離の値が、ＣＳ位置情報テーブル３２ａに記憶されているか否かを判別する（Ｓ３０５）。記憶されていない場合は、ＣＳ位置情報テーブル３２ａの該当箇所にその距離を書き込み（Ｓ３０６）、手順Ｓ３０３へ戻る。
【００４２】
無線基地局装置ＣＳ１と無線基地局装置ＣＳ２との間の距離が既にＣＳ位置情報テーブル３２ａに記憶されている場合は、算出した値がＣＳ位置情報テーブル３２ａに既に記憶されている値よりも小さいか否かを判別する（Ｓ３０７）。算出した値の方がＣＳ位置情報テーブル３２ａに既に記憶されている値よりも小さい場合は、ＣＳ位置情報テーブル３２ａの値を算出した値に更新する。この更新の後に手順３０３へ戻る。また、算出した値がＣＳ位置情報テーブル３２ａに既に記憶されている値よりも大きい場合は、手順Ｓ３０３へ戻る。
【００４３】
以上のように、無線基地局装置ＣＳの出力電力および無線端末装置ＰＳの移動に伴い無線端末装置ＰＳが待ち受けする無線基地局装置ＣＳを変更する際の情報に基づき、無線基地局制御装置１が無線基地局装置間の距離を算出し、算出した値が既にＣＳ位置情報テーブル３２ａに記憶されている値と比較して小さい場合にＣＳ位置情報テーブル３２ａを更新することを繰り返すことで、無線基地局装置間の最短距離を算出することができる。つまり無線基地局装置間の直線距離を算出することができ、無線通信システムが無線基地局装置ＣＳの隣接情報および無線基地局装置ＣＳの間の距離を容易に取得することができる。
【００４４】
特に、待ち受けする無線端末装置ＰＳが無線基地局装置ＣＳを変更する際の情報を用いるため、多数の無線基地局装置ＰＳからの情報が短期間で得ることができ、無線基地局装置ＣＳの隣接情報および無線基地局装置ＣＳ間の距離を短期間で算出することができる。
【００４５】
なお、本発明は、以上の構成に限定されるものではなく、種々の変形が可能である。  
例えば、無線基地局装置ＣＳが無線基地局制御装置１へ通知する電力は、Ｗ、ｄＢｍなどで表される電力だけでなく、その他に電波の強さを表す表記であってもよい。また、無線端末装置ＰＳが待ち受けする無線基地局装置ＣＳから受信する電力は、Ｗ、ｄＢｍなどで表される電力だけでなく、Ｖ／ｍやｄＢＶ／ｍなどで表される電界強度やその他電波の強さを表す表記であってもよい。
【図面の簡単な説明】
【００４６】
【図１】本発明の第一の実施例に係る無線通信システムのブロック図。
【図２】本発明の第一の実施例に係る無線端末装置の機能ブロック図。
【図３】本発明の第一の実施例に係る無線基地局装置の機能ブロック図。
【図４】本発明の第一の実施例に係る無線基地局制御装置の機能ブロック図。
【図５】本発明の第一の実施例に係る無線基地局装置の立上げ時のシーケンス図。
【図６】本発明の第一の実施例に係る無線基地局装置立上げを無線基地局装置から無線基地局制御装置へ通知するパケットの構成図。
【図７】本発明の第一の実施例に係る無線端末装置が待ち受けする無線基地局装置を変更する際のシーケンス図。
【図８】本発明の第一の実施例に係る無線端末装置が待ち受けする無線基地局装置を変更する際に、無線端末装置が無線基地局制御装置へ通知するパケットの構成図。
【図９】本発明の第一の実施例に係る無線基地局装置からの距離と無線基地局装置が出力する電力との関係を示す図。
【図１０】本発明の第一の実施例に係る無線端末装置とその無線端末装置が待ち受けする変更前無線基地局装置と変更後無線基地局装置との位置関係を示す図。
【図１１】本発明の第一の実施例に係る無線基地局装置の位置情報テーブル。
【図１２】本発明の第一の実施例に係る無線基地局制御装置が無線基地局装置の位置情報を算出するフローチャート。
【符号の説明】
【００４７】
ＰＳ…無線端末装置、ＣＳ、ＣＳ１、ＣＳ２、ＣＳ３、ＣＳ４、ＣＳ５、ＣＳ６、ＣＳ７、ＣＳｌ、ＣＳｍ、ＣＳｎ、ＣＳｋ…無線基地局装置、Ｓ…無線通信システム、１…無線基地局制御装置、２…ＩＰ網、３…公衆網、４…インターネット、１０、２０、３０…インターフェース部、１０ａ、２０ａ…無線送受信部、２０ｂ、３０ａ…有線送受信部、１１、２１、３１…制御部、１２、２２、３２…記憶部、３２ａ…ＣＳ位置情報テーブル、１３、電力測定部、１４…ＣＳ変更判断部、３３…ＣＳ距離算出部、Ｐ１、Ｐ２…パケット、１０１、２０１…通知先情報、１０２…無線基地局立上げ通知ＩＤ情報、１０３無線基地局識別情報、１０４…出力電力情報、２０２…無線基地局変更通知ＩＤ情報、２０３…変更前無線基地局識別情報、２０４…変更後無線基地局識別情報、２０５…電力情報、２０５ａ…変更前電力情報、２０５ｂ…変更後電力情報、Ｌ１…変更前ＣＳとの距離、Ｌ２…変更後ＣＳとの距離、Ｌ３…隣接ＣＳ間直線距離
【図１】
0004843625.tif 000003
【図２】
0004843625.tif 000004
【図３】
0004843625.tif 000005
【図４】
0004843625.tif 000006
【図５】
0004843625.tif 000007
【図６】
0004843625.tif 000008
【図７】
0004843625.tif 000009
【図８】
0004843625.tif 000010
【図９】
0004843625.tif 000011
【図１０】
0004843625.tif 000012
【図１１】
0004843625.tif 000013
【図１２】
0004843625.tif 000014